(57)【要約】【課題】操作者による換気運転の停止指令を受けていないのにもかかわらず換気運転が停止する不都合を防止できる空気調和機を提供すること。【解決手段】室内機１の赤外線送受信部１３が、ワイヤレスリモコン３から換気運転オンの指令信号を受けると、室内機１の第１ＥＥＰＲＯＭ１１と、室外機２の第２ＥＥＰＲＯＭ２３に、換気運転オンの情報を記憶する。加湿ユニット２２内の送風機を起動すると共に、給排気管６に接続された切り替えダンパーを切り替えて、室内空気を室外に排出し、又は、室外空気を室内に吸入する。停電によって換気運転が一旦停止した場合、停電復帰後に、第１ＥＥＰＲＯＭ１１に記憶された換気運転オンの情報に基づいて、換気運転を再開する。操作者による換気運転オフの指令を受けていないにもかかわらず換気運転が停止する不都合を、防止できる。【選択図】図１
2006183991.tif 000002
【特許請求の範囲】
【請求項１】
室内を換気する換気部（６）と、
前回運転時の上記換気部（６）の運転状態を示す運転情報を記憶する第１不揮発性メモリ（１１）と、
今回運転時に、上記第１不揮発性メモリ（１１）に記憶された運転情報に基づいて、上記換気部（６）の運転を制御する制御部（７）と
を備えることを特徴とする空気調和機。
【請求項２】
請求項１に記載の空気調和機において、
上記第１不揮発性メモリ（１１）と、上記換気部（６）の運転状態を指令する指令信号を受ける受信部（１３）と、上記第１不揮発性メモリに記憶された運転情報を示す運転情報信号を送信する送信部（１３）とを有する室内機（１）と、
上記指令信号を送信する送信部（３１）と、上記運転情報信号を受信する受信部（３１）とを有するリモートコントローラ（３）と
を備えることを特徴とする空気調和機。
【請求項３】
請求項２に記載の空気調和機において、
前回運転時の上記換気部（６）の運転情報を記憶する第２不揮発性メモリ（２３）を有する室外機（２）を備えることを特徴とする空気調和機。
【請求項４】
請求項２又は３に記載の空気調和機において、
上記リモートコントローラ（３）は、
前回運転時の上記換気部（６）の運転情報を記憶する第３不揮発性メモリ（３３）を備え、
上記送信部（３１）が、上記第３不揮発性メモリ（３３）に記憶された運転情報を示す運転情報信号を室内機（１）に送信することを特徴とする空気調和機。
【請求項５】
請求項１乃至４のいずれか１つに記載の空気調和機において、
上記制御部（７）は、上記今回の運転時に、上記室内機の受信部（１３）が換気部（６）の換気の実行を指令する指令信号を受けない場合であって、上記第１不揮発性メモリ（１１）、第２不揮発性メモリ（２３）又は第３不揮発性メモリ（３３）に記憶された運転情報で示される前回運転時の上記換気部（６）の運転状態が、換気の実行である場合、この記憶された運転情報に基づいて、上記前回の運転状態と同じ運転状態になるように、上記換気部（６）の運転を制御することを特徴とする空気調和機。
【発明の詳細な説明】
【技術分野】
【０００１】
本発明は、空気調和機に関し、詳しくは、室内を換気する換気部を備えた空気調和機に関する。
【背景技術】
【０００２】
従来、室外機と室内機との間を給排気管で接続し、この給排気管の一端を、室外機に設けた送風機の吸い込み側と吹き出し側に、ダンパーで切り替え可能に接続した空気調和機が開示されている（特開２００３−１７６９４４号公報：特許文献１参照）。
【０００３】
上記従来の空気調和機は、上記ダンパーの第１の切り替え位置では、上記給排気管が送風機の吸い込み側に接続され、上記送風機が、上記給排気管および室内機を介して室内空気を吸い込んで室外に排出する。一方、上記ダンパーの第２の切り替え位置では、上記給排気管が送風機の吹き出し側に接続され、上記送風機が、上記給排気管および室内機を介して室外空気を室内に供給する。こうして、上記空気調和機によって室内空気を室外に排出し、又は、室外空気を室内に供給して、室内の換気運転を行うようにしている。
【０００４】
また、上記空気調和機は、操作者から運転状態の指令を受け、この指令に応じた信号を室内機に送信するリモートコントローラと、このリモートコントローラからの信号に応じて空気調和機の運転状態を制御する制御部とを備える。操作者が上記リモートコントローラに換気運転を指令した場合、上記リモートコントローラから信号を受けた制御部が、上記ダンパーおよび送風機を制御して、換気運転を行うようになっている。
【０００５】
しかしながら、上記従来の空気調和機は、換気運転を行っているときに停電が生じた場合、停電が解消されても停止状態になって、停電前の換気運転に復帰できない場合がある。また、換気運転を行っているときにリモートコントローラの電池を交換した場合、リモートコントローラが初期状態に戻り、初期状態の信号が室内機に送信されて、空気調和機が停止してしまう場合がある。
【０００６】
最近、建築基準法の改正により、いわゆるシックハウス対策のため、原則として全ての建築物に、機械換気設備の設置が義務付けられた。
【０００７】
しかしながら、上記従来の空気調和機は、上述のように、操作者による換気運転の停止指令を受けていないのにもかかわらず、換気運転が停止する場合があるので、建築基準法で定められる機械換気設備として機能できないという問題がある。
【特許文献１】特開２００３−１７６９４４号公報
【発明の開示】
【発明が解決しようとする課題】
【０００８】
そこで、本発明の課題は、操作者による換気運転の停止指令を受けていないのにもかかわらず換気運転が停止する不都合を防止できる空気調和機を提供することにある。
【課題を解決するための手段】
【０００９】
上記課題を解決するため、本発明の空気調和機は、
室内を換気する換気部と、
前回運転時の上記換気部の運転状態を示す運転情報を記憶する第１不揮発性メモリと、
今回運転時に、上記第１不揮発性メモリに記憶された運転情報に基づいて、上記換気部の運転を制御する制御部と
を備えることを特徴としている。
【００１０】
上記構成によれば、前回運転時に換気部が作動状態であった場合、今回運転時に、制御部によって、上記第１不揮発性メモリに記憶された運転情報であって作動状態を示す運転情報に基づいて、上記換気部の運転が作動状態に制御される。例えば、前回運転時の運転状態と同じ運転状態となるように上記換気部を制御することにより、例えば停電によって換気運転が停止した場合においても、停電復帰後の今回運転時に、換気運転を再開することができる。したがって、従来におけるように換気運転の停止指令を受けていないにもかかわらず換気運転が停止するという不都合を防止できる。
【００１１】
一実施形態の空気調和機は、
上記第１不揮発性メモリと、上記換気部の運転状態を指令する指令信号を受ける受信部と、上記第１不揮発性メモリに記憶された運転情報を示す運転情報信号を送信する送信部とを有する室内機と、
上記指令信号を送信する送信部と、上記運転情報信号を受信する受信部とを有するリモートコントローラと
を備える。
【００１２】
上記実施形態によれば、上記リモートコントローラへの操作者の入力に基づいて、このリモートコントローラの送信部から指令信号が送信される。室内機の受信部によって上記指令信号が受信され、この指令信号に応じた運転状態に換気部が制御される。
【００１３】
また、上記室内機の第１不揮発性メモリに記憶された運転情報を示す運転情報信号が、上記室内機の送信部によって送信される。この運転情報信号は、上記リモートコントローラの受信部で受信される。したがって、上記リモートコントローラは、例えば電池の交換等によって初期状態に戻った場合においても、室内機の第１不揮発性メモリに記憶された運転情報と同じ情報を得ることができるので、リモートコントローラと室内機との間で運転情報の食い違いが生じることを防止できる。したがって、リモートコントローラに換気運転の停止指令が入力されていないのにもかかわらず、初期状態に戻ったリモートコントローラから初期状態の指令信号が室内機に送信されて、換気部の運転が停止するという不都合を防止できる。
【００１４】
一実施形態の空気調和機は、
前回運転時の上記換気部の運転情報を記憶する第２不揮発性メモリを有する室外機を備える。
【００１５】
上記実施形態によれば、上記室外機の第２不揮発性メモリに、前回運転時の上記換気部の運転情報を記憶させるので、例えば室内機の故障や交換等による第１の不揮発性メモリの運転情報の消失等に備えて、換気部の運転情報のバックアップを行うことができる。
【００１６】
一実施形態の空気調和機は、上記リモートコントローラは、
前回運転時の上記換気部の運転情報を記憶する第３不揮発性メモリを備え、
上記送信部が、上記第３不揮発性メモリに記憶された運転情報を示す運転情報信号を室内機に送信する。
【００１７】
上記実施形態によれば、上記リモートコントローラの第３不揮発性メモリに、前回運転時の換気部の運転情報が記憶される。この第３不揮発性メモリに記憶された運転情報を示す運転情報信号が、上記送信部によって室内機に送信される。これにより、例えば、電装品の交換や他の原因による第１又は第２不揮発性メモリの運転情報の消失に備えて、前回運転時の換気部の運転情報のバックアップを行うことができる。
【００１８】
一実施形態の空気調和機は、上記制御部は、上記今回の運転時に、上記室内機の受信部が換気部の換気の実行を指令する指令信号を受けない場合であって、上記第１不揮発性メモリ、第２不揮発性メモリ又は第３不揮発性メモリに記憶された運転情報で示される前回運転時の上記換気部の運転状態が、換気の実行である場合、この記憶された運転情報に基づいて、上記前回の運転状態と同じ運転状態になるように、上記換気部の運転を制御する。
【００１９】
上記実施形態によれば、今回の運転時に、上記受信部が換気部の換気の実行を指令する指令信号を受ない場合、上記第１不揮発性メモリ、第２不揮発性メモリ又は第３不揮発性メモリに記憶された運転情報が参照される。この第１不揮発性メモリ、第２不揮発性メモリ又は第３不揮発性メモリに記憶された運転情報で示される前回運転時の上記換気部の運転状態が、換気の実行である場合、この記憶された運転情報に基づいて、上記前回の運転状態と同じ運転状態になるように、上記換気部の運転が制御される。したがって、例えば、前回運転が停電等で停止した場合、今回運転を再開するときに操作者によって換気の実行の指令を受けなくても、前回運転と同様に換気運転を再開することができる。なお、上記制御部は、今回運転時に、前回運転時の運転状態のうち、少なくとも一部の運転状態と同じ運転状態になるように、上記換気部の運転を制御してもよい。
【発明の効果】
【００２０】
以上のように、本発明の空気調和機は、室内を換気する換気部と、前回運転時の上記換気部の運転状態を示す運転情報を記憶する第１不揮発性メモリと、今回運転時に、上記第１不揮発性メモリに記憶された運転情報に基づいて、上記換気部の運転を制御する制御部とを備えるので、前回運転時に、例えば停電によって換気運転が停止した場合においても、停電復帰後の今回運転時に換気運転を再開することができるから、従来におけるような停電復帰後に換気運転が停止する不都合を防止できる。
【発明を実施するための最良の形態】
【００２１】
以下、本発明を図示の実施の形態により詳細に説明する。
【００２２】
（第１実施形態）
図１は、本発明の第１実施形態としての空気調和機を示す概略図である。
【００２３】
この空気調和機は、室内の壁面等に配置される室内機１と、室外に配置される室外機２とを備え、上記室内機１と室外機２は、冷媒配管５と給排気管６と連絡配線８とで接続されている。
【００２４】
上記室内機１は、上記冷媒配管５を介して室外機２から冷媒が供給される図示しない室内熱交換器と、上記室内熱交換器に風を導くクロスフローファンとを有する。また、上記クロスフローファンによって生成される風通路上に、上記給排気管６に連通する開口を備え、この開口を介して、室外空気を室内に供給し、また、室内空気を室外に排出するように形成されている。
【００２５】
また、上記室内機１は、後述するリモートコントローラとしてのワイヤレスリモコン３との間で赤外線信号を授受する赤外線送受信部１３を有する。詳しくは、この赤外線送受信部１３は、上記ワイヤレスリモコン３から、運転モード、設定温度、設定風量および風向き等の空気調和機の運転状態を指令する指令信号を受信する一方、上記ワイヤレスリモコン３に、空気調和機の運転状態を示す運転情報信号を送信する。このように、上記赤外線送受信部１３は、受信部および送信部として機能する。
【００２６】
上記ワイヤレスリモコン３は、室内の操作者によって、設定温度、設定風量および風向き等の運転状態が指令されて入力される入力部を備える。また、上記ワイヤレスリモコン３は、上記室内機１との間で赤外線信号を授受する赤外線送受信部３１を有し、上記入力部への入力に応じた指令信号を室内機１に送信すると共に、この室内機１から運転情報に関する運転情報信号を受信するようになっている。このように、上記赤外線送受信部３１は、受信部および送信部として機能する。
【００２７】
また、上記室内機１は、今回運転時の空気調和機の運転状態を示す運転情報を記憶する第１不揮発性メモリとしての第１ＥＥＰＲＯＭ（Electrically Erasable Programmable Read-Only Memory）１１を備える。
【００２８】
また、上記室内機１は、上記室外機２との間で情報通信を行う情報通信部を有し、上記ワイヤレスリモコン３から受け取った指令信号を室外機２に送信するようになっている。また、上記情報通信部は、今回運転時の空気調和機の運転情報（上記第１ＥＥＰＥＯＭ１１に記憶する情報と同じ情報）を示す運転情報信号を室外機２に送信すると共に、上記室外機２から、前回運転時の空気調和機に関する運転情報信号を受信するようになっている。
【００２９】
上記室外機２は、室外ユニット２１と加湿ユニット２２を備える。上記室外ユニット２１内に、冷媒を圧縮する圧縮機と、上記冷媒を断熱膨張して減圧する膨張器と、上記冷媒と室外空気とを熱交換する室外熱交換器と、上記冷媒の流れの方向を切り替えて、冷房運転と暖房運転とを切り替える四路切替弁が収容されている。また、上記室外ユニット２１内には電装部品が収容されており、この電装部品は、空気調和機の電源回路と、ＣＰＵで構成された制御部７を含んでいる。このＣＰＵは、ＲＯＭに格納された制御プログラムを読み出して、空気調和機の制御を実行する。上記冷媒配管５は、室外ユニット２１に接続されて、四路切換弁の切り替え制御及び圧縮機の容量制御によって、所定温度・圧力の冷媒が供給されるようになっている。
【００３０】
一方、上記室外機２の加湿ユニット２２内には、ゼオライト等の水分吸着材で形成された加湿ロータと、吸い込み側に上記加湿ロータが選択的に接続される送風機と、上記給排気管６を上記送風機の吸い込み側および吹き出し側に切り替え接続する接続ダンパーが収容されている。この接続ダンパーの第１の切り替え位置では、上記給排気管６が送風機の吸い込み側に接続され、上記送風機が、上記給排気管６および室内機１を介して室内空気を吸い込んで室外に排出する。一方、上記接続ダンパーの第２の切り替え位置では、上記給排気管６が送風機の吹き出し側に接続され、上記送風機が、上記加湿ロータを経由して加湿された室外空気、又は、上記加湿ロータを経由しない室外空気を、上記給排気管６および室内機１を介して室内に供給する。
【００３１】
こうして、上記室内機１、給排気管６および室外機２を介して、室内空気を室外に排出し、又は、室外空気を室内に供給して、室内の換気運転を行うようにしている。すなわち、室内機の通風路に形成された開口と、この開口に連通する給排気管６と、この給排気管６に接続される送風機と、この送風機に対する給排気管６の接続を切り替える接続ダンパーで、換気部を構成している。
【００３２】
さらに、上記室外機２は、上記室内機１との間で情報通信を行う情報通信部を有し、上記ワイヤレスリモコン３から送信されて室内機１の送受信部１３が受信した指令信号を、この室内機１の情報通信部から受信するようになっている。また、上記情報通信部が室内機１から受け取った今回運転時の運転情報を記憶する第２ＥＥＰＲＯＭ２３を備える。
【００３３】
上記室外ユニット２１内の電装部品に設けられた制御部７は、室内機１からの指令信号に基づいて、上記圧縮機の容量制御および発停と、上記四路切換弁の切り替えと、上記送風機の容量および発停と、上記接続ダンパーの切り替えを制御する。また、上記制御部７は、この空気調和機の運転情報について、第１ＥＥＰＲＯＭ１１への格納および読み出しや、ワイヤレスリモコン３への送受信や、第２ＥＥＰＲＯＭ２３への格納及び読み出しを制御するようになっている。
【００３４】
上記構成の空気調和機による換気動作を、図２のフローチャートを参照しつつ説明する。このフローチャートは、制御部７で実行される処理を示したものである。
【００３５】
まず、空気調和機の電源が投入されて、空気調和機が起動する（ステップＳ１）。電源投入により制御部７が起動されて、ワイヤレスリモコン３から換気運転をオンする内容の指令信号を受信したか否かを判断する（ステップＳ２）。ワイヤレスリモコン３から換気運転オンの指令信号を受信したと判断した場合、室内機１の第１ＥＥＰＲＯＭ１１に、換気運転オンを示す情報を記憶させる（ステップＳ３）。続いて、室外機２の第２ＥＥＰＲＯＭ２３に、換気運転オンを示す情報を記憶させる（ステップＳ４）。
【００３６】
続いて、ワイヤレスリモコン３からの指令信号が、換気運転オンを示す内容であるか、又は換気運転オフを示す内容であるかを判断する（ステップＳ５）。
【００３７】
上記ステップＳ２において、ワイヤレスリモコン３から換気運転オンの指令信号を受信していないと判断した場合、室内機１の第１ＥＥＰＲＯＭ１１に記憶されている情報を読み出して、前回運転時に換気運転がオンであったか否かを判断する（ステップＳ７）。この第１ＥＥＰＲＯＭ１１の記憶情報が換気運転オンの情報であり、前回運転時に換気運転がオンであったと判断した場合、上記ステップＳ５に進む。
【００３８】
一方、上記ステップＳ７において、上記第１ＥＥＰＲＯＭ１１の記憶情報が換気運転オフの情報である場合、第２ＥＥＰＲＯＭ２３に記憶されている情報を読み出して、前回運転時に換気運転がオンであったか否かを判断する（ステップＳ１０）。この第２ＥＥＰＲＯＭ２３の記憶情報が換気運転オンの情報であり、前回運転時に換気運転がオンであったと判断した場合、第１ＥＥＰＲＯＭ１１に換気運転オンを示す情報を記憶させる（ステップＳ１１）。続いて、ワイヤレスリモコン３に、換気運転オンを示す運転情報を送信する（ステップＳ１２）。この後、上記ステップＳ５に進む。
【００３９】
一方、上記ステップ１０において、上記第２ＥＥＰＲＯＭ２３の記憶情報が換気運転オフの情報である場合、上記ステップＳ５に進む。
【００４０】
ステップＳ５において、ワイヤレスリモコン３からの指令信号が、換気運転オンを示す内容である場合、換気運転を実行する（ステップＳ６）。すなわち、室外機２の接続ダンパーを切り替えて、給排気管６を送風機の吸い込み側又は吹き出し側に接続すると共に、上記送風機を起動する。
【００４１】
ステップＳ５において、ワイヤレスリモコン３からの指令信号が、換気運転オフを示す内容である場合、第１ＥＥＰＲＯＭ１１の記憶情報が、換気運転オンであるか否かを判断する（ステップＳ８）。この第１ＥＥＰＲＯＭ１１の記憶情報が換気運転オンである場合、上記ステップＳ６に進んで、換気運転を実行する。
【００４２】
一方、上記ステップＳ８において、第１ＥＥＰＲＯＭ１１の記憶情報が換気運転オフである場合、換気運転を停止状態にする（ステップＳ９）。
【００４３】
上記ステップＳ６およびステップＳ１０の後、ステップＳ２に戻って、ワイヤレスリモコン３から換気部オンの指令信号を受信したか否かを判断する。
【００４４】
このように、本実施形態の空気調和機は、操作者によって換気運転を行う旨の入力がリモコンにされた場合、このリモコンからの指令信号に従って換気運転を行う。一方、操作者によって換気運転を行う旨の入力が入力にされない場合においても、前回運転時に換気運転が行われた場合は、第１ＥＥＰＲＯＭ１１又は第２ＥＥＰＲＯＭ２３に記憶された運転オンの記憶情報に基づいて、換気運転を再開できる。したがって、例えば停電によって換気運転が停止した場合においても、操作者が換気運転のオンを入力しなくても、停電復帰後の今回運転時に、停電前の前回運転時と同じ換気運転を再開することができる。したがって、換気運転の停止指令を受けていないにもかかわらず、停電復帰後に換気運転が再開できなくて停止状態になるという従来の不都合を、効果的に防止できる。なお、作動状態以外の風量や風向き等の運転状態は、今回運転時に初期状態に戻してもよく、あるいは、作動状態と同様に前回運転時に第１ＥＥＰＲＯＭ１１に記憶して、今回運転時に前回運転時と同じ運転状態を再現してもよい。
【００４５】
また、上記換気部の運転情報について、上記第１ＥＥＰＲＯＭ１１に記憶された運転情報を示す信号が、ワイヤレスリモコン３３に送信されるので、このワイヤレスリモコン３３が例えば電池交換等によって初期状態に戻った場合でも、上記室内機１とワイヤレスリモコン３との間で運転情報の食い違いが生じることを防止できる。したがって、操作者からワイヤレスリモコン３に換気運転の停止指令が入力されていないのにもかかわらず、初期状態の指令信号が室内機１に送信されて、換気部の運転が停止するという不都合を防止できる。
【００４６】
さらに、室内機１の第１ＥＥＰＲＯＭ１１に記憶させる運転情報を、室外機２の第２ＥＥＰＲＯＭ２３に記憶させてバックアップを行うので、例えば室内機１の故障や交換等によって第１ＥＥＰＲＯＭ１１の運転情報が消失しても、第２ＥＥＰＲＯＭ２３に記憶された運転情報に基づいて、換気運転を継続することができる。
【００４７】
このように、本実施形態の空気調和機は、停電や、室内機１の故障や、ワイヤレスリモコン３の初期化等が生じた場合であっても、操作者による換気運転のオフ指令を受けるまで、電源の投入状態の下、換気運転を実行して継続することができる。その結果、この空気調和機は、換気扇として機能することができる。
【００４８】
（第２実施形態）
図３は、本発明の他の実施形態の空気調和機を示す概略図である。
【００４９】
第２実施形態の空気調和機は、第１実施形態の空気調和機と同様に、図３に示すように、室内機１と室外機２とが、冷媒配管５と給排気管６と連絡配線８とで接続されている。
【００５０】
本実施形態の空気調和機は、今回運転時の運転情報を、第１ＥＥＰＲＯＭ１１及び第２ＥＥＰＲＯＭ２３に加えて、第３ＥＥＰＲＯＭ３３に記憶する。これにより、室内機や室外機の故障や電装品の交換等によって、第１及び第２ＥＥＰＲＯＭ１１，２３に記憶された運転情報が消失しても、第３ＥＥＰＲＯＭ３３に記憶された運転情報に基づいて、前回運転時と同様の換気運転を行うことを可能にしている。
【００５１】
本実施形態において、第１実施形態の構成部分と同様の構成部分については、第１実施形態で用いたのと同じ参照番号を用いて、詳細な説明を省略する。
【００５２】
本実施形態の空気調和機では、ワイヤレスリモコン３が第３ＥＥＰＲＯＭ３３を有し、この第３ＥＥＰＲＯＭ３３に室内機１から受信した運転情報を書き込み、また、この第３ＥＥＰＲＯＭ３３から室内機１に送信する運転情報を読み出すようになっている。このワイヤレスリモコン３は、上記室内機１との間で赤外線信号を授受する赤外線送受信部３１によって、入力部への操作者の入力に応じた指令信号に加えて、上記第３ＥＥＰＲＯＭ３３から読み出した運転情報を室内機１に送信するようになっている。また、上記赤外線送受信部３１によって、上記第３ＥＥＰＲＯＭ３３に書き込む運転情報を上記室内機１から受信するようになっている。また、このワイヤレスリモコン３は、第１実施形態のワイヤレスリモコン３と同様に、室内の操作者によって入力される入力部を備える。
【００５３】
また、上記室内機１の赤外線送受信部１３は、上記ワイヤレスリモコン３から、運転モード、設定温度、設定風量および風向き等の空気調和機の運転状態を指令する指令信号に加えて、上記第３ＥＥＰＲＯＭ３３に記憶された運転情報を示す運転情報信号を受信する。また、上記室内機１の赤外線送受信部１３は、上記第３ＥＥＰＲＯＭ３３に記憶すべき空気調和機の運転情報を示す運転情報信号をワイヤレスリモコン３に送信する。
【００５４】
図４Ａ及び４Ｂは、本実施形態の空気調和機の制御部７において実行される処理を示すフローチャートである。本実施形態の空気調和機による換気動作を、図４Ａ及び４Ｂのフローチャートを参照しつつ説明する。
【００５５】
まず、空気調和機の電源が投入されて、空気調和機が起動し（ステップＳ１）、制御部７が起動されて、ワイヤレスリモコン３から換気運転をオンする内容の指令信号を受信したか否かを判断する（ステップＳ２）。ワイヤレスリモコン３から換気運転オンの指令信号を受信したと判断した場合、室内機１の第１ＥＥＰＲＯＭ１１に、換気運転オンを示す情報を記憶させる（ステップＳ３）。続いて、室外機２の第２ＥＥＰＲＯＭ２３に、換気運転オンを示す情報を記憶させる（ステップＳ４）。さらに、ワイヤレスリモコン３に換気運転オンを示す情報を送信して、このワイヤレスリモコンの第３ＥＥＰＲＯＭ３３に、換気運転オンを示す情報を記憶させる（ステップＳ５）。
【００５６】
続いて、ワイヤレスリモコン３からの指令信号が、換気運転オンを示す内容であるか、又は換気運転オフを示す内容であるかを判断する（ステップＳ６）。
【００５７】
上記ステップＳ２において、ワイヤレスリモコン３から換気運転オンの指令信号を受信していないと判断した場合、室内機１の第１ＥＥＰＲＯＭ１１に記憶されている情報を読み出して、前回運転時に換気運転がオンであったか否かを判断する（ステップＳ８）。この第１ＥＥＰＲＯＭ１１の記憶情報が換気運転オンの情報であり、前回運転時に換気運転がオンであったと判断した場合、上記ステップＳ６に進む。
【００５８】
一方、上記ステップＳ８において、上記第１ＥＥＰＲＯＭ１１の記憶情報が換気運転オフの情報である場合、第２ＥＥＰＲＯＭ２３に記憶されている情報を読み出して、前回運転時に換気運転がオンであったか否かを判断する（ステップＳ１１）。この第２ＥＥＰＲＯＭ２３の記憶情報が換気運転オンの情報であり、前回運転時に換気運転がオンであったと判断した場合、第１ＥＥＰＲＯＭ１１に換気運転オンを示す情報を記憶させる（ステップＳ１２）。続いて、ワイヤレスリモコン３に、換気運転オンを示す運転情報を送信して、このワイヤレスリモコンの第３ＥＥＰＲＯＭ３３に、換気運転オンを示す情報を記憶させる（ステップＳ１３）。この後、上記ステップＳ６に進む。
【００５９】
一方、上記ステップ１１において、上記第２ＥＥＰＲＯＭ２３の記憶情報が、換気運転オフの情報である場合、上記ワイヤレスリモコン３に指令し、第３ＥＥＰＲＯＭ３３に記憶されている情報を読み出させて室内ユニットに送信させて、この室内ユニットが受信した情報に基づいて、前回運転時に換気運転がオンであったか否かを判断する（ステップＳ１４）。上記第３ＥＥＰＲＯＭ３３の記憶情報が換気運転オンの情報であり、前回運転時に換気運転がオンであったと判断した場合、第１ＥＥＰＲＯＭ１１に換気運転オンを示す情報を記憶させる（ステップＳ１５）。続いて、室外機２の第２ＥＥＰＲＯＭ２３に、換気運転オンを示す情報を記憶させる（ステップＳ１６）。この後、上記ステップＳ６に進む。
【００６０】
上記ステップＳ１４において、第３ＥＥＰＲＯＭ３３の記憶情報が換気運転オフであり、前回運転時に換気運転がオフであったと判断した場合、上記ステップＳ６に進む。
【００６１】
上記ステップＳ６において、ワイヤレスリモコン３からの指令信号が、換気運転オンを示す内容である場合、換気運転を実行する（ステップＳ７）。
【００６２】
一方、ステップＳ６において、ワイヤレスリモコン３からの指令信号が、換気運転オフを示す内容である場合、第１ＥＥＰＲＯＭ１１の記憶情報が、換気運転オンであるか否かを判断する（ステップＳ９）。この第１ＥＥＰＲＯＭ１１の記憶情報が換気運転オンである場合、上記ステップＳ７に戻って、換気運転を実行する。
【００６３】
一方、上記ステップＳ９において、第１ＥＥＰＲＯＭ１１の記憶情報が換気運転オフである場合、換気運転を停止状態にする（ステップＳ１０）。
【００６４】
上記ステップＳ７およびステップＳ１０の後、ステップＳ２に戻って、ワイヤレスリモコン３から換気部オンの指令信号を受信したか否かを判断する。
【００６５】
このように、本実施形態の空気調和機は、操作者によって換気運転を行う旨の入力がリモコンにされた場合、このリモコンからの指令信号に従って換気運転を行う。一方、操作者によって換気運転を行う旨の入力が行われない場合においても、前回運転時に換気運転が行われた場合は、第１ＥＥＰＲＯＭ１１、第２ＥＥＰＲＯＭ２３、又は、第３ＥＥＰＲＯＭ３３に記憶された運転オンの記憶情報に基づいて、換気運転を再開できる。したがって、本実施形態の空気調和機は、上記第１ＥＥＰＲＯＭ１１及び第２ＥＥＰＲＯＭ２３の記憶情報が、例えば電装部品の交換や異常動作等によって消失しても、操作者の入力にかかわらず、前回運転時と同様の換気運転を、今回運転時において再開することができる。
【００６６】
なお、第２実施形態において、ワイヤレスリモコン３から換気運転オンの指令信号を受信した後、このワイヤレスリモコン３に換気運転オンを示す情報を送信して、第３ＥＥＰＲＯＭ３３に換気運転オンを示す情報を記憶させたが（ステップＳ５）、ワイヤレスリモコン３に操作者が換気運転オンの入力を行ったときに第３ＥＥＰＲＯＭ３３に換気運転オンを示す情報を記憶させてもよい。この場合、上記ステップＳ５を削除してもよい。
【００６７】
また、第１及び第２実施形態において、第２ＥＥＰＲＯＭ２３又は第３ＥＥＰＲＯＭ３３に換気運転オンの情報が記憶されている場合、この情報を一旦第１ＥＥＰＲＯＭ１１に記憶し、その後、この第１ＥＥＰＲＯＭ１１の記憶情報の読み出しをして換気運転を実行したが、第２ＥＥＰＲＯＭ２３又は第３ＥＥＰＲＯＭ３３に記憶された換気運転オンの情報を読み出して直ぐに換気運転を実行してもよい。
【００６８】
また、室内機１に第１不揮発性メモリとしての第１ＥＥＰＲＯＭ１１を設けたが、第１不揮発性メモリは室内機１に設けられる必要は無く、室外機２又はワイヤレスリモコン３に設けてもよい。例えば、室内機１の第１ＥＥＰＲＯＭ１１を削除し、室外機２の第２ＥＥＰＲＯＭ２３又はワイヤレスリモコン３の第３ＥＥＰＲＯＭ３３を、第１ＥＥＰＲＯＭ１１として機能させてもよい。
【００６９】
また、第１及び第２実施形態において、換気とは、室内への室外空気の供給と、室外への室内空気の排出との少なくとも一方をいう。また、操作者の入力条件や、他の条件に基づいて、室外空気の供給と室内空気の排出とを交互に行ってもよい。
【００７０】
また、第１及び第２実施形態では、第１、第２及び第３ＥＥＰＲＯＭ１１，２３，３３には、前回運転時の換気運転のオン又はオフの情報を記憶させたが、換気運転のオン又はオフの情報の他に、換気運転における吸気又は排気の区別、風量、風向き、加湿運転の有無及び設定温度等の情報を記憶してもよい。
【００７１】
また、上記室外機２は加湿ロータを有する加湿ユニット２２に給排気管６を接続したが、加湿ロータを有しない送風機ユニットに給排気管６を接続してもよい。
【００７２】
また、上記換気部は、一端が室内機に連通すると共に他端が室外に開放された給排気管と、上記室内機に設けられて上記給排気管を介して室内空気を室外に排出する、又は、室外空気を室内に導くファンとで形成されてもよい。
【００７３】
また、上記不揮発性メモリは、ＥＥＰＲＯＭ以外に、ＲＡＭやハードディスクなどの磁気記録装置等を用いてもよく、要は、電源が切断されても記憶状態を保持できるメモリであればよい。
【００７４】
また、上記空気調和機は、室内機１と室外機２を給排気管６、冷媒配管５および連絡配線８で接続して構成したが、室内機１と室外機２を一体に形成してもよい。
【図面の簡単な説明】
【００７５】
【図１】本発明の第１実施形態としての空気調和機を示す概略図である。
【図２】第１実施形態の空気調和機の制御部で実行される処理を示したフローチャートである。
【図３】本発明の第２実施形態としての空気調和機を示す概略図である。
【図４Ａ】第２実施形態の空気調和機の制御部で実行される処理を示したフローチャートである。
【図４Ｂ】第２実施形態の空気調和機の制御部で実行される処理を示したフローチャートである。
【符号の説明】
【００７６】
１  室内機
２  室外機
３  ワイヤレスリモコン
６  給排気管
７  制御部
１１  第１ＥＥＰＲＯＭ
１３  室内機の赤外線送受信部
２３  第２ＥＥＰＲＯＭ
３１  ワイヤレスリモコンの赤外線送受信部
３３  第３ＥＥＰＲＯＭ
【図１】
2006183991.tif 000003
【図２】
2006183991.tif 000004
【図３】
2006183991.tif 000005
【図４Ａ】
2006183991.tif 000006
【図４Ｂ】
2006183991.tif 000007
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
室内を換気する換気部（６）と、
前回運転時の上記換気部（６）の運転状態を示す運転情報を記憶する第１不揮発性メモリ（１１）と、
今回運転時に、上記第１不揮発性メモリ（１１）に記憶された運転情報に基づいて、上記換気部（６）の運転を制御する制御部（７）と
を備え、
上記第１不揮発性メモリ（１１）と、上記換気部（６）の運転状態を指令する指令信号を受ける受信部（１３）と、上記第１不揮発性メモリ（１１）に記憶された運転情報を示す運転情報信号を送信する送信部（１３）とを有する室内機（１）と、
上記指令信号を送信する送信部（３１）と、上記運転情報信号を受信する受信部（３１）とを有するリモートコントローラ（３）と
を備え、
上記リモートコントローラ（３）は、初期状態に戻った場合において、上記第１不揮発性メモリ（１１）に記載された上記運転情報信号を授受して上記室内機（１）の上記第１不揮発性メモリ（１１）に記憶された運転状態と同じ情報を得て、少なくとも停電復帰時に、上記リモートコントローラ（１１）と上記室内機（１）との間で運転情報の食い違いがないことを特徴とする空気調和機。
【請求項２】
請求項１に記載の空気調和機において、
前回運転時の上記換気部（６）の運転情報を記憶する第２不揮発性メモリ（２３）を有する室外機（２）を備えることを特徴とする空気調和機。
【請求項３】
請求項２に記載の空気調和機において、
上記リモートコントローラ（３）は、
前回運転時の上記換気部（６）の運転情報を記憶する第３不揮発性メモリ（３３）を備え、
上記送信部（３１）が、上記第３不揮発性メモリ（３３）に記憶された運転情報を示す運転情報信号を室内機（１）に送信することを特徴とする空気調和機。
【請求項４】
請求項２に記載の空気調和機において、
上記第２不揮発性メモリ（２３）に記憶された上記換気部（６）の前回運転時の運転情報を示す運転情報信号を上記第１不揮発性メモリ（１１）に記憶させることを特徴とする空気調和機。
【請求項５】
請求項２乃至４のいずれか１つに記載の空気調和機において、
上記制御部（７）は、
上記リモートコントローラ（３）より換気オンの指令信号があるときは、上記第１不揮発性メモリ（１１）と上記第２不揮発性メモリ（２３）との両方に、換気オンを記憶させる一方、上記リモートコントロータ（３）より換気オン信号を受けなかって、かつ、上記第１不揮発性メモリ（１１）が換気オンを記憶していないと判別し、かつ、上記第２不揮発性メモリ（２３）が換気オンを記憶していると判別したときに、上記第１不揮発性メモリ（１１）に換気オンを記憶させる一方、
上記指令信号の内容が換気オフであると判別したときに、上記第１不揮発性メモリ（１１）のみを参照して上記第１不揮発性メモリ（１１）が換気オンを記憶しているとき、換気オン運転をさせることを特徴とする空気調和機。
【請求項６】
請求項３に記載の空気調和機において、
上記制御部（７）は、上記今回の運転時に、上記室内機の受信部（１３）が換気部（６）の換気の実行を指令する指令信号を受けない場合であって、上記第１不揮発性メモリ（１１）、第２不揮発性メモリ（２３）又は第３不揮発性メモリ（３３）に記憶された運転情報で示される前回運転時の上記換気部（６）の運転状態が、換気の実行である場合、この記憶された運転情報に基づいて、上記前回の運転状態と同じ運転状態になるように、上記換気部（６）の運転を制御することを特徴とする空気調和機。
【請求項７】
室内を換気する換気部（６）と、
前回運転時の上記換気部（６）の運転状態を示す運転情報を記憶する第１不揮発性メモリ（１１）と、
今回運転時に、上記第１不揮発性メモリ（１１）に記憶された運転情報に基づいて、上記換気部（６）の運転を制御する制御部（７）と
を備え、
上記第１不揮発性メモリ（１１）と、上記換気部（６）の運転状態を指令する指令信号を受ける受信部（１３）と、上記第１不揮発性メモリ（１１）に記憶された運転情報を示す運転情報信号を送信する送信部（１３）とを有する室内機（１）と、
上記指令信号を送信する送信部（３１）と、上記運転情報信号を受信する受信部（３１）とを有するリモートコントローラ（３）と
を備え、
前回運転時の上記換気部（６）の運転情報を記憶する第２不揮発性メモリ（２３）を有する室外機（２）を備えることを特徴とする空気調和機。
【請求項８】
室内を換気する換気部（６）と、
前回運転時の上記換気部（６）の運転状態を示す運転情報を記憶する第１不揮発性メモリ（１１）と、
今回運転時に、上記第１不揮発性メモリ（１１）に記憶された運転情報に基づいて、上記換気部（６）の運転を制御する制御部（７）と
を備え、
上記第１不揮発性メモリ（１１）と、上記換気部（６）の運転状態を指令する指令信号を受ける受信部（１３）と、上記第１不揮発性メモリに記憶された運転情報を示す運転情報信号を送信する送信部（１３）とを有する室内機（１）と、
上記指令信号を送信する送信部（３１）と、上記運転情報信号を受信する受信部（３１）とを有するリモートコントローラ（３）と
を備え、
上記リモートコントローラ（３）は、前回運転時の上記換気部（６）の運転情報を記憶する不揮発性メモリ（３３）を備えることを特徴とする空気調和機。
【請求項９】
請求項８に記載の空気調和機において、
上記リモートコントローラ（３）は、上記リモートコントローラ（３）の上記不揮発性メモリ（３３）に記憶された上記換気部（６）の前回運転時の運転状態を示す運転情報信号を上記室内機（１）に送信することを特徴とする空気調和機。
【手続補正２】
【補正対象書類名】明細書
【補正対象項目名】全文
【補正方法】変更
【補正の内容】
【発明の詳細な説明】
【技術分野】
【０００１】
本発明は、空気調和機に関し、詳しくは、室内を換気する換気部を備えた空気調和機に関する。
【背景技術】
【０００２】
従来、室外機と室内機との間を給排気管で接続し、この給排気管の一端を、室外機に設けた送風機の吸い込み側と吹き出し側に、ダンパーで切り替え可能に接続した空気調和機が開示されている（特開２００３−１７６９４４号公報：特許文献１参照）。
【０００３】
上記従来の空気調和機は、上記ダンパーの第１の切り替え位置では、上記給排気管が送風機の吸い込み側に接続され、上記送風機が、上記給排気管および室内機を介して室内空気を吸い込んで室外に排出する。一方、上記ダンパーの第２の切り替え位置では、上記給排気管が送風機の吹き出し側に接続され、上記送風機が、上記給排気管および室内機を介して室外空気を室内に供給する。こうして、上記空気調和機によって室内空気を室外に排出し、又は、室外空気を室内に供給して、室内の換気運転を行うようにしている。
【０００４】
また、上記空気調和機は、操作者から運転状態の指令を受け、この指令に応じた信号を室内機に送信するリモートコントローラと、このリモートコントローラからの信号に応じて空気調和機の運転状態を制御する制御部とを備える。操作者が上記リモートコントローラに換気運転を指令した場合、上記リモートコントローラから信号を受けた制御部が、上記ダンパーおよび送風機を制御して、換気運転を行うようになっている。
【０００５】
しかしながら、上記従来の空気調和機は、換気運転を行っているときに停電が生じた場合、停電が解消されても停止状態になって、停電前の換気運転に復帰できない場合がある。また、換気運転を行っているときにリモートコントローラの電池を交換した場合、リモートコントローラが初期状態に戻り、初期状態の信号が室内機に送信されて、空気調和機が停止してしまう場合がある。
【０００６】
最近、建築基準法の改正により、いわゆるシックハウス対策のため、原則として全ての建築物に、機械換気設備の設置が義務付けられた。
【０００７】
しかしながら、上記従来の空気調和機は、上述のように、操作者による換気運転の停止指令を受けていないのにもかかわらず、換気運転が停止する場合があるので、建築基準法で定められる機械換気設備として機能できないという問題がある。
【特許文献１】特開２００３−１７６９４４号公報
【発明の開示】
【発明が解決しようとする課題】
【０００８】
そこで、本発明の課題は、操作者による換気運転の停止指令を受けていないのにもかかわらず換気運転が停止する不都合を防止できる空気調和機を提供することにある。
【課題を解決するための手段】
【０００９】
上記課題を解決するため、本発明の空気調和機は、
室内を換気する換気部と、
前回運転時の上記換気部の運転状態を示す運転情報を記憶する第１不揮発性メモリと、
今回運転時に、上記第１不揮発性メモリに記憶された運転情報に基づいて、上記換気部の運転を制御する制御部と
を備え、
上記第１不揮発性メモリと、上記換気部の運転状態を指令する指令信号を受ける受信部と、上記第１不揮発性メモリに記憶された運転情報を示す運転情報信号を送信する送信部とを有する室内機と、
上記指令信号を送信する送信部と、上記第１不揮発性メモリに記憶された上記運転情報信号を受信する受信部とを有するリモートコントローラと
を備え、
上記リモートコントローラは、初期状態に戻った場合において、上記第１不揮発性メモリに記載された上記運転情報信号を授受して上記室内機の上記第１不揮発性メモリに記憶された運転状態と同じ情報を得て、少なくとも停電復帰時に、上記リモートコントローラと上記室内機との間で運転情報の食い違いがないことを特徴としている。
【００１０】
上記構成によれば、前回運転時に換気部が作動状態であった場合、今回運転時に、制御部によって、上記第１不揮発性メモリに記憶された運転情報であって作動状態を示す運転情報に基づいて、上記換気部の運転が作動状態に制御される。例えば、前回運転時の運転状態と同じ運転状態となるように上記換気部を制御することにより、例えば停電によって換気運転が停止した場合においても、停電復帰後の今回運転時に、換気運転を再開することができる。したがって、従来におけるように換気運転の停止指令を受けていないにもかかわらず換気運転が停止するという不都合を防止できる。
【００１１】
また、上記リモートコントローラへの操作者の入力に基づいて、このリモートコントローラの送信部から指令信号が送信される。室内機の受信部によって上記指令信号が受信され、この指令信号に応じた運転状態に換気部が制御される。
【００１２】
また、上記室内機の第１不揮発性メモリに記憶された運転情報を示す運転情報信号が、上記室内機の送信部によって送信される。この運転情報信号は、上記リモートコントローラの受信部で受信される。したがって、上記リモートコントローラは、例えば電池の交換等によって初期状態に戻った場合においても、室内機の第１不揮発性メモリに記憶された運転情報と同じ情報を得ることができるので、リモートコントローラと室内機との間で運転情報の食い違いが生じることを防止できる。したがって、リモートコントローラに換気運転の停止指令が入力されていないのにもかかわらず、初期状態に戻ったリモートコントローラから初期状態の指令信号が室内機に送信されて、換気部の運転が停止するという不都合を防止できる。
【００１３】
一実施形態の空気調和機は、
前回運転時の上記換気部（６）の運転情報を記憶する第２不揮発性メモリ（２３）を有する室外機（２）を備える。
【００１４】
上記実施形態によれば、上記室外機の第２不揮発性メモリに、前回運転時の上記換気部の運転情報を記憶させるので、例えば室内機の故障や交換等による第１の不揮発性メモリの運転情報の消失等に備えて、換気部の運転情報のバックアップを行うことができる。
【００１５】
一実施形態の空気調和機は、上記リモートコントローラは、
前回運転時の上記換気部の運転情報を記憶する第３不揮発性メモリを備え、
上記送信部が、上記第３不揮発性メモリに記憶された運転情報を示す運転情報信号を室内機に送信する。
【００１６】
上記実施形態によれば、上記リモートコントローラの第３不揮発性メモリに、前回運転時の換気部の運転情報が記憶される。この第３不揮発性メモリに記憶された運転情報を示す運転情報信号が、上記送信部によって室内機に送信される。これにより、例えば、電装品の交換や他の原因による第１又は第２不揮発性メモリの運転情報の消失に備えて、前回運転時の換気部の運転情報のバックアップを行うことができる。
【００１７】
一実施形態の空気調和機は、上記第２不揮発性メモリに記憶された上記換気部の前回運転時の運転情報を示す運転情報信号を上記第１不揮発性メモリに記憶させる。
一実施形態の空気調和機は、
上記制御部は、
上記リモートコントローラより換気オンの指令信号があるときは、上記第１不揮発性メモリと上記第２不揮発性メモリとの両方に、換気オンを記憶させる一方、上記リモートコントロータより換気オン信号を受けなかって、かつ、上記第１不揮発性メモリが換気オンを記憶していないと判別し、かつ、上記第２不揮発性メモリが換気オンを記憶していると判別したときに、上記第１不揮発性メモリに換気オンを記憶させる一方、
上記指令信号の内容が換気オフであると判別したときに、上記第１不揮発性メモリのみを参照して上記第１不揮発性メモリが換気オンを記憶しているとき、換気オン運転をさせる。
【００１８】
一実施形態の空気調和機は、上記制御部は、上記今回の運転時に、上記室内機の受信部が換気部の換気の実行を指令する指令信号を受けない場合であって、上記第１不揮発性メモリ、第２不揮発性メモリ又は第３不揮発性メモリに記憶された運転情報で示される前回運転時の上記換気部の運転状態が、換気の実行である場合、この記憶された運転情報に基づいて、上記前回の運転状態と同じ運転状態になるように、上記換気部の運転を制御する。
【００１９】
上記実施形態によれば、今回の運転時に、上記受信部が換気部の換気の実行を指令する指令信号を受ない場合、上記第１不揮発性メモリ、第２不揮発性メモリ又は第３不揮発性メモリに記憶された運転情報が参照される。この第１不揮発性メモリ、第２不揮発性メモリ又は第３不揮発性メモリに記憶された運転情報で示される前回運転時の上記換気部の運転状態が、換気の実行である場合、この記憶された運転情報に基づいて、上記前回の運転状態と同じ運転状態になるように、上記換気部の運転が制御される。したがって、例えば、前回運転が停電等で停止した場合、今回運転を再開するときに操作者によって換気の実行の指令を受けなくても、前回運転と同様に換気運転を再開することができる。なお、上記制御部は、今回運転時に、前回運転時の運転状態のうち、少なくとも一部の運転状態と同じ運転状態になるように、上記換気部の運転を制御してもよい。
また、本発明の空気調和機は、
室内を換気する換気部と、
前回運転時の上記換気部の運転状態を示す運転情報を記憶する第１不揮発性メモリと、
今回運転時に、上記第１不揮発性メモリに記憶された運転情報に基づいて、上記換気部の運転を制御する制御部と
を備え、
上記第１不揮発性メモリと、上記換気部の運転状態を指令する指令信号を受ける受信部と、上記第１不揮発性メモリに記憶された運転情報を示す運転情報信号を送信する送信部とを有する室内機と、
上記指令信号を送信する送信部と、上記運転情報信号を受信する受信部とを有するリモートコントローラと
を備え、
前回運転時の上記換気部の運転情報を記憶する第２不揮発性メモリを有する室外機を備えることを特徴とする。
また、本発明の空気調和機は、
室内を換気する換気部と、
前回運転時の上記換気部の運転状態を示す運転情報を記憶する第１不揮発性メモリと、
今回運転時に、上記第１不揮発性メモリに記憶された運転情報に基づいて、上記換気部の運転を制御する制御部と
を備え、
上記第１不揮発性メモリと、上記換気部の運転状態を指令する指令信号を受ける受信部と、上記第１不揮発性メモリに記憶された運転情報を示す運転情報信号を送信する送信部とを有する室内機と、
上記指令信号を送信する送信部と、上記運転情報信号を受信する受信部とを有するリモートコントローラと
を備え、
上記リモートコントローラは、前回運転時の上記換気部の運転情報を記憶する不揮発性メモリを備えることを特徴とする。
一実施形態の空気調和機は、
上記リモートコントローラは、上記リモートコントローラの上記不揮発性メモリに記憶された上記換気部の前回運転時の運転状態を示す運転情報信号を上記室内機に送信する。
【発明の効果】
【００２０】
以上のように、本発明の空気調和機は、室内を換気する換気部と、前回運転時の上記換気部の運転状態を示す運転情報を記憶する第１不揮発性メモリと、今回運転時に、上記第１不揮発性メモリに記憶された運転情報に基づいて、上記換気部の運転を制御する制御部とを備えるので、前回運転時に、例えば停電によって換気運転が停止した場合においても、停電復帰後の今回運転時に換気運転を再開することができるから、従来におけるような停電復帰後に換気運転が停止する不都合を防止できる。
【発明を実施するための最良の形態】
【００２１】
以下、本発明を図示の実施の形態により詳細に説明する。
【００２２】
（第１実施形態）
図１は、本発明の第１実施形態としての空気調和機を示す概略図である。
【００２３】
この空気調和機は、室内の壁面等に配置される室内機１と、室外に配置される室外機２とを備え、上記室内機１と室外機２は、冷媒配管５と給排気管６と連絡配線８とで接続されている。
【００２４】
上記室内機１は、上記冷媒配管５を介して室外機２から冷媒が供給される図示しない室内熱交換器と、上記室内熱交換器に風を導くクロスフローファンとを有する。また、上記クロスフローファンによって生成される風通路上に、上記給排気管６に連通する開口を備え、この開口を介して、室外空気を室内に供給し、また、室内空気を室外に排出するように形成されている。
【００２５】
また、上記室内機１は、後述するリモートコントローラとしてのワイヤレスリモコン３との間で赤外線信号を授受する赤外線送受信部１３を有する。詳しくは、この赤外線送受信部１３は、上記ワイヤレスリモコン３から、運転モード、設定温度、設定風量および風向き等の空気調和機の運転状態を指令する指令信号を受信する一方、上記ワイヤレスリモコン３に、空気調和機の運転状態を示す運転情報信号を送信する。このように、上記赤外線送受信部１３は、受信部および送信部として機能する。
【００２６】
上記ワイヤレスリモコン３は、室内の操作者によって、設定温度、設定風量および風向き等の運転状態が指令されて入力される入力部を備える。また、上記ワイヤレスリモコン３は、上記室内機１との間で赤外線信号を授受する赤外線送受信部３１を有し、上記入力部への入力に応じた指令信号を室内機１に送信すると共に、この室内機１から運転情報に関する運転情報信号を受信するようになっている。このように、上記赤外線送受信部３１は、受信部および送信部として機能する。
【００２７】
また、上記室内機１は、今回運転時の空気調和機の運転状態を示す運転情報を記憶する第１不揮発性メモリとしての第１ＥＥＰＲＯＭ（Electrically Erasable Programmable Read-Only Memory）１１を備える。
【００２８】
また、上記室内機１は、上記室外機２との間で情報通信を行う情報通信部を有し、上記ワイヤレスリモコン３から受け取った指令信号を室外機２に送信するようになっている。また、上記情報通信部は、今回運転時の空気調和機の運転情報（上記第１ＥＥＰＥＯＭ１１に記憶する情報と同じ情報）を示す運転情報信号を室外機２に送信すると共に、上記室外機２から、前回運転時の空気調和機に関する運転情報信号を受信するようになっている。
【００２９】
上記室外機２は、室外ユニット２１と加湿ユニット２２を備える。上記室外ユニット２１内に、冷媒を圧縮する圧縮機と、上記冷媒を断熱膨張して減圧する膨張器と、上記冷媒と室外空気とを熱交換する室外熱交換器と、上記冷媒の流れの方向を切り替えて、冷房運転と暖房運転とを切り替える四路切替弁が収容されている。また、上記室外ユニット２１内には電装部品が収容されており、この電装部品は、空気調和機の電源回路と、ＣＰＵで構成された制御部７を含んでいる。このＣＰＵは、ＲＯＭに格納された制御プログラムを読み出して、空気調和機の制御を実行する。上記冷媒配管５は、室外ユニット２１に接続されて、四路切換弁の切り替え制御及び圧縮機の容量制御によって、所定温度・圧力の冷媒が供給されるようになっている。
【００３０】
一方、上記室外機２の加湿ユニット２２内には、ゼオライト等の水分吸着材で形成された加湿ロータと、吸い込み側に上記加湿ロータが選択的に接続される送風機と、上記給排気管６を上記送風機の吸い込み側および吹き出し側に切り替え接続する接続ダンパーが収容されている。この接続ダンパーの第１の切り替え位置では、上記給排気管６が送風機の吸い込み側に接続され、上記送風機が、上記給排気管６および室内機１を介して室内空気を吸い込んで室外に排出する。一方、上記接続ダンパーの第２の切り替え位置では、上記給排気管６が送風機の吹き出し側に接続され、上記送風機が、上記加湿ロータを経由して加湿された室外空気、又は、上記加湿ロータを経由しない室外空気を、上記給排気管６および室内機１を介して室内に供給する。
【００３１】
こうして、上記室内機１、給排気管６および室外機２を介して、室内空気を室外に排出し、又は、室外空気を室内に供給して、室内の換気運転を行うようにしている。すなわち、室内機の通風路に形成された開口と、この開口に連通する給排気管６と、この給排気管６に接続される送風機と、この送風機に対する給排気管６の接続を切り替える接続ダンパーで、換気部を構成している。
【００３２】
さらに、上記室外機２は、上記室内機１との間で情報通信を行う情報通信部を有し、上記ワイヤレスリモコン３から送信されて室内機１の送受信部１３が受信した指令信号を、この室内機１の情報通信部から受信するようになっている。また、上記情報通信部が室内機１から受け取った今回運転時の運転情報を記憶する第２ＥＥＰＲＯＭ２３を備える。
【００３３】
上記室外ユニット２１内の電装部品に設けられた制御部７は、室内機１からの指令信号に基づいて、上記圧縮機の容量制御および発停と、上記四路切換弁の切り替えと、上記送風機の容量および発停と、上記接続ダンパーの切り替えを制御する。また、上記制御部７は、この空気調和機の運転情報について、第１ＥＥＰＲＯＭ１１への格納および読み出しや、ワイヤレスリモコン３への送受信や、第２ＥＥＰＲＯＭ２３への格納及び読み出しを制御するようになっている。
【００３４】
上記構成の空気調和機による換気動作を、図２のフローチャートを参照しつつ説明する。このフローチャートは、制御部７で実行される処理を示したものである。
【００３５】
まず、空気調和機の電源が投入されて、空気調和機が起動する（ステップＳ１）。電源投入により制御部７が起動されて、ワイヤレスリモコン３から換気運転をオンする内容の指令信号を受信したか否かを判断する（ステップＳ２）。ワイヤレスリモコン３から換気運転オンの指令信号を受信したと判断した場合、室内機１の第１ＥＥＰＲＯＭ１１に、換気運転オンを示す情報を記憶させる（ステップＳ３）。続いて、室外機２の第２ＥＥＰＲＯＭ２３に、換気運転オンを示す情報を記憶させる（ステップＳ４）。
【００３６】
続いて、ワイヤレスリモコン３からの指令信号が、換気運転オンを示す内容であるか、又は換気運転オフを示す内容であるかを判断する（ステップＳ５）。
【００３７】
上記ステップＳ２において、ワイヤレスリモコン３から換気運転オンの指令信号を受信していないと判断した場合、室内機１の第１ＥＥＰＲＯＭ１１に記憶されている情報を読み出して、前回運転時に換気運転がオンであったか否かを判断する（ステップＳ７）。この第１ＥＥＰＲＯＭ１１の記憶情報が換気運転オンの情報であり、前回運転時に換気運転がオンであったと判断した場合、上記ステップＳ５に進む。
【００３８】
一方、上記ステップＳ７において、上記第１ＥＥＰＲＯＭ１１の記憶情報が換気運転オフの情報である場合、第２ＥＥＰＲＯＭ２３に記憶されている情報を読み出して、前回運転時に換気運転がオンであったか否かを判断する（ステップＳ１０）。この第２ＥＥＰＲＯＭ２３の記憶情報が換気運転オンの情報であり、前回運転時に換気運転がオンであったと判断した場合、第１ＥＥＰＲＯＭ１１に換気運転オンを示す情報を記憶させる（ステップＳ１１）。続いて、ワイヤレスリモコン３に、換気運転オンを示す運転情報を送信する（ステップＳ１２）。この後、上記ステップＳ５に進む。
【００３９】
一方、上記ステップ１０において、上記第２ＥＥＰＲＯＭ２３の記憶情報が換気運転オフの情報である場合、上記ステップＳ５に進む。
【００４０】
ステップＳ５において、ワイヤレスリモコン３からの指令信号が、換気運転オンを示す内容である場合、換気運転を実行する（ステップＳ６）。すなわち、室外機２の接続ダンパーを切り替えて、給排気管６を送風機の吸い込み側又は吹き出し側に接続すると共に、上記送風機を起動する。
【００４１】
ステップＳ５において、ワイヤレスリモコン３からの指令信号が、換気運転オフを示す内容である場合、第１ＥＥＰＲＯＭ１１の記憶情報が、換気運転オンであるか否かを判断する（ステップＳ８）。この第１ＥＥＰＲＯＭ１１の記憶情報が換気運転オンである場合、上記ステップＳ６に進んで、換気運転を実行する。
【００４２】
一方、上記ステップＳ８において、第１ＥＥＰＲＯＭ１１の記憶情報が換気運転オフである場合、換気運転を停止状態にする（ステップＳ９）。
【００４３】
上記ステップＳ６およびステップＳ１０の後、ステップＳ２に戻って、ワイヤレスリモコン３から換気部オンの指令信号を受信したか否かを判断する。
【００４４】
このように、本実施形態の空気調和機は、操作者によって換気運転を行う旨の入力がリモコンにされた場合、このリモコンからの指令信号に従って換気運転を行う。一方、操作者によって換気運転を行う旨の入力が入力にされない場合においても、前回運転時に換気運転が行われた場合は、第１ＥＥＰＲＯＭ１１又は第２ＥＥＰＲＯＭ２３に記憶された運転オンの記憶情報に基づいて、換気運転を再開できる。したがって、例えば停電によって換気運転が停止した場合においても、操作者が換気運転のオンを入力しなくても、停電復帰後の今回運転時に、停電前の前回運転時と同じ換気運転を再開することができる。したがって、換気運転の停止指令を受けていないにもかかわらず、停電復帰後に換気運転が再開できなくて停止状態になるという従来の不都合を、効果的に防止できる。なお、作動状態以外の風量や風向き等の運転状態は、今回運転時に初期状態に戻してもよく、あるいは、作動状態と同様に前回運転時に第１ＥＥＰＲＯＭ１１に記憶して、今回運転時に前回運転時と同じ運転状態を再現してもよい。
【００４５】
また、上記換気部の運転情報について、上記第１ＥＥＰＲＯＭ１１に記憶された運転情報を示す信号が、ワイヤレスリモコン３３に送信されるので、このワイヤレスリモコン３３が例えば電池交換等によって初期状態に戻った場合でも、上記室内機１とワイヤレスリモコン３との間で運転情報の食い違いが生じることを防止できる。したがって、操作者からワイヤレスリモコン３に換気運転の停止指令が入力されていないのにもかかわらず、初期状態の指令信号が室内機１に送信されて、換気部の運転が停止するという不都合を防止できる。
【００４６】
さらに、室内機１の第１ＥＥＰＲＯＭ１１に記憶させる運転情報を、室外機２の第２ＥＥＰＲＯＭ２３に記憶させてバックアップを行うので、例えば室内機１の故障や交換等によって第１ＥＥＰＲＯＭ１１の運転情報が消失しても、第２ＥＥＰＲＯＭ２３に記憶された運転情報に基づいて、換気運転を継続することができる。
【００４７】
このように、本実施形態の空気調和機は、停電や、室内機１の故障や、ワイヤレスリモコン３の初期化等が生じた場合であっても、操作者による換気運転のオフ指令を受けるまで、電源の投入状態の下、換気運転を実行して継続することができる。その結果、この空気調和機は、換気扇として機能することができる。
【００４８】
（第２実施形態）
図３は、本発明の他の実施形態の空気調和機を示す概略図である。
【００４９】
第２実施形態の空気調和機は、第１実施形態の空気調和機と同様に、図３に示すように、室内機１と室外機２とが、冷媒配管５と給排気管６と連絡配線８とで接続されている。
【００５０】
本実施形態の空気調和機は、今回運転時の運転情報を、第１ＥＥＰＲＯＭ１１及び第２ＥＥＰＲＯＭ２３に加えて、第３ＥＥＰＲＯＭ３３に記憶する。これにより、室内機や室外機の故障や電装品の交換等によって、第１及び第２ＥＥＰＲＯＭ１１，２３に記憶された運転情報が消失しても、第３ＥＥＰＲＯＭ３３に記憶された運転情報に基づいて、前回運転時と同様の換気運転を行うことを可能にしている。
【００５１】
本実施形態において、第１実施形態の構成部分と同様の構成部分については、第１実施形態で用いたのと同じ参照番号を用いて、詳細な説明を省略する。
【００５２】
本実施形態の空気調和機では、ワイヤレスリモコン３が第３ＥＥＰＲＯＭ３３を有し、この第３ＥＥＰＲＯＭ３３に室内機１から受信した運転情報を書き込み、また、この第３ＥＥＰＲＯＭ３３から室内機１に送信する運転情報を読み出すようになっている。このワイヤレスリモコン３は、上記室内機１との間で赤外線信号を授受する赤外線送受信部３１によって、入力部への操作者の入力に応じた指令信号に加えて、上記第３ＥＥＰＲＯＭ３３から読み出した運転情報を室内機１に送信するようになっている。また、上記赤外線送受信部３１によって、上記第３ＥＥＰＲＯＭ３３に書き込む運転情報を上記室内機１から受信するようになっている。また、このワイヤレスリモコン３は、第１実施形態のワイヤレスリモコン３と同様に、室内の操作者によって入力される入力部を備える。
【００５３】
また、上記室内機１の赤外線送受信部１３は、上記ワイヤレスリモコン３から、運転モード、設定温度、設定風量および風向き等の空気調和機の運転状態を指令する指令信号に加えて、上記第３ＥＥＰＲＯＭ３３に記憶された運転情報を示す運転情報信号を受信する。また、上記室内機１の赤外線送受信部１３は、上記第３ＥＥＰＲＯＭ３３に記憶すべき空気調和機の運転情報を示す運転情報信号をワイヤレスリモコン３に送信する。
【００５４】
図４Ａ及び４Ｂは、本実施形態の空気調和機の制御部７において実行される処理を示すフローチャートである。本実施形態の空気調和機による換気動作を、図４Ａ及び４Ｂのフローチャートを参照しつつ説明する。
【００５５】
まず、空気調和機の電源が投入されて、空気調和機が起動し（ステップＳ１）、制御部７が起動されて、ワイヤレスリモコン３から換気運転をオンする内容の指令信号を受信したか否かを判断する（ステップＳ２）。ワイヤレスリモコン３から換気運転オンの指令信号を受信したと判断した場合、室内機１の第１ＥＥＰＲＯＭ１１に、換気運転オンを示す情報を記憶させる（ステップＳ３）。続いて、室外機２の第２ＥＥＰＲＯＭ２３に、換気運転オンを示す情報を記憶させる（ステップＳ４）。さらに、ワイヤレスリモコン３に換気運転オンを示す情報を送信して、このワイヤレスリモコンの第３ＥＥＰＲＯＭ３３に、換気運転オンを示す情報を記憶させる（ステップＳ５）。
【００５６】
続いて、ワイヤレスリモコン３からの指令信号が、換気運転オンを示す内容であるか、又は換気運転オフを示す内容であるかを判断する（ステップＳ６）。
【００５７】
上記ステップＳ２において、ワイヤレスリモコン３から換気運転オンの指令信号を受信していないと判断した場合、室内機１の第１ＥＥＰＲＯＭ１１に記憶されている情報を読み出して、前回運転時に換気運転がオンであったか否かを判断する（ステップＳ８）。この第１ＥＥＰＲＯＭ１１の記憶情報が換気運転オンの情報であり、前回運転時に換気運転がオンであったと判断した場合、上記ステップＳ６に進む。
【００５８】
一方、上記ステップＳ８において、上記第１ＥＥＰＲＯＭ１１の記憶情報が換気運転オフの情報である場合、第２ＥＥＰＲＯＭ２３に記憶されている情報を読み出して、前回運転時に換気運転がオンであったか否かを判断する（ステップＳ１１）。この第２ＥＥＰＲＯＭ２３の記憶情報が換気運転オンの情報であり、前回運転時に換気運転がオンであったと判断した場合、第１ＥＥＰＲＯＭ１１に換気運転オンを示す情報を記憶させる（ステップＳ１２）。続いて、ワイヤレスリモコン３に、換気運転オンを示す運転情報を送信して、このワイヤレスリモコンの第３ＥＥＰＲＯＭ３３に、換気運転オンを示す情報を記憶させる（ステップＳ１３）。この後、上記ステップＳ６に進む。
【００５９】
一方、上記ステップ１１において、上記第２ＥＥＰＲＯＭ２３の記憶情報が、換気運転オフの情報である場合、上記ワイヤレスリモコン３に指令し、第３ＥＥＰＲＯＭ３３に記憶されている情報を読み出させて室内ユニットに送信させて、この室内ユニットが受信した情報に基づいて、前回運転時に換気運転がオンであったか否かを判断する（ステップＳ１４）。上記第３ＥＥＰＲＯＭ３３の記憶情報が換気運転オンの情報であり、前回運転時に換気運転がオンであったと判断した場合、第１ＥＥＰＲＯＭ１１に換気運転オンを示す情報を記憶させる（ステップＳ１５）。続いて、室外機２の第２ＥＥＰＲＯＭ２３に、換気運転オンを示す情報を記憶させる（ステップＳ１６）。この後、上記ステップＳ６に進む。
【００６０】
上記ステップＳ１４において、第３ＥＥＰＲＯＭ３３の記憶情報が換気運転オフであり、前回運転時に換気運転がオフであったと判断した場合、上記ステップＳ６に進む。
【００６１】
上記ステップＳ６において、ワイヤレスリモコン３からの指令信号が、換気運転オンを示す内容である場合、換気運転を実行する（ステップＳ７）。
【００６２】
一方、ステップＳ６において、ワイヤレスリモコン３からの指令信号が、換気運転オフを示す内容である場合、第１ＥＥＰＲＯＭ１１の記憶情報が、換気運転オンであるか否かを判断する（ステップＳ９）。この第１ＥＥＰＲＯＭ１１の記憶情報が換気運転オンである場合、上記ステップＳ７に戻って、換気運転を実行する。
【００６３】
一方、上記ステップＳ９において、第１ＥＥＰＲＯＭ１１の記憶情報が換気運転オフである場合、換気運転を停止状態にする（ステップＳ１０）。
【００６４】
上記ステップＳ７およびステップＳ１０の後、ステップＳ２に戻って、ワイヤレスリモコン３から換気部オンの指令信号を受信したか否かを判断する。
【００６５】
このように、本実施形態の空気調和機は、操作者によって換気運転を行う旨の入力がリモコンにされた場合、このリモコンからの指令信号に従って換気運転を行う。一方、操作者によって換気運転を行う旨の入力が行われない場合においても、前回運転時に換気運転が行われた場合は、第１ＥＥＰＲＯＭ１１、第２ＥＥＰＲＯＭ２３、又は、第３ＥＥＰＲＯＭ３３に記憶された運転オンの記憶情報に基づいて、換気運転を再開できる。したがって、本実施形態の空気調和機は、上記第１ＥＥＰＲＯＭ１１及び第２ＥＥＰＲＯＭ２３の記憶情報が、例えば電装部品の交換や異常動作等によって消失しても、操作者の入力にかかわらず、前回運転時と同様の換気運転を、今回運転時において再開することができる。
【００６６】
なお、第２実施形態において、ワイヤレスリモコン３から換気運転オンの指令信号を受信した後、このワイヤレスリモコン３に換気運転オンを示す情報を送信して、第３ＥＥＰＲＯＭ３３に換気運転オンを示す情報を記憶させたが（ステップＳ５）、ワイヤレスリモコン３に操作者が換気運転オンの入力を行ったときに第３ＥＥＰＲＯＭ３３に換気運転オンを示す情報を記憶させてもよい。この場合、上記ステップＳ５を削除してもよい。
【００６７】
また、第１及び第２実施形態において、第２ＥＥＰＲＯＭ２３又は第３ＥＥＰＲＯＭ３３に換気運転オンの情報が記憶されている場合、この情報を一旦第１ＥＥＰＲＯＭ１１に記憶し、その後、この第１ＥＥＰＲＯＭ１１の記憶情報の読み出しをして換気運転を実行したが、第２ＥＥＰＲＯＭ２３又は第３ＥＥＰＲＯＭ３３に記憶された換気運転オンの情報を読み出して直ぐに換気運転を実行してもよい。
【００６８】
また、室内機１に第１不揮発性メモリとしての第１ＥＥＰＲＯＭ１１を設けたが、第１不揮発性メモリは室内機１に設けられる必要は無く、室外機２又はワイヤレスリモコン３に設けてもよい。例えば、室内機１の第１ＥＥＰＲＯＭ１１を削除し、室外機２の第２ＥＥＰＲＯＭ２３又はワイヤレスリモコン３の第３ＥＥＰＲＯＭ３３を、第１ＥＥＰＲＯＭ１１として機能させてもよい。
【００６９】
また、第１及び第２実施形態において、換気とは、室内への室外空気の供給と、室外への室内空気の排出との少なくとも一方をいう。また、操作者の入力条件や、他の条件に基づいて、室外空気の供給と室内空気の排出とを交互に行ってもよい。
【００７０】
また、第１及び第２実施形態では、第１、第２及び第３ＥＥＰＲＯＭ１１，２３，３３には、前回運転時の換気運転のオン又はオフの情報を記憶させたが、換気運転のオン又はオフの情報の他に、換気運転における吸気又は排気の区別、風量、風向き、加湿運転の有無及び設定温度等の情報を記憶してもよい。
【００７１】
また、上記室外機２は加湿ロータを有する加湿ユニット２２に給排気管６を接続したが、加湿ロータを有しない送風機ユニットに給排気管６を接続してもよい。
【００７２】
また、上記換気部は、一端が室内機に連通すると共に他端が室外に開放された給排気管と、上記室内機に設けられて上記給排気管を介して室内空気を室外に排出する、又は、室外空気を室内に導くファンとで形成されてもよい。
【００７３】
また、上記不揮発性メモリは、ＥＥＰＲＯＭ以外に、ＲＡＭやハードディスクなどの磁気記録装置等を用いてもよく、要は、電源が切断されても記憶状態を保持できるメモリであればよい。
【００７４】
また、上記空気調和機は、室内機１と室外機２を給排気管６、冷媒配管５および連絡配線８で接続して構成したが、室内機１と室外機２を一体に形成してもよい。
【図面の簡単な説明】
【００７５】
【図１】本発明の第１実施形態としての空気調和機を示す概略図である。
【図２】第１実施形態の空気調和機の制御部で実行される処理を示したフローチャートである。
【図３】本発明の第２実施形態としての空気調和機を示す概略図である。
【図４Ａ】第２実施形態の空気調和機の制御部で実行される処理を示したフローチャートである。
【図４Ｂ】第２実施形態の空気調和機の制御部で実行される処理を示したフローチャートである。
【符号の説明】
【００７６】
１  室内機
２  室外機
３  ワイヤレスリモコン
６  給排気管
７  制御部
１１  第１ＥＥＰＲＯＭ
１３  室内機の赤外線送受信部
２３  第２ＥＥＰＲＯＭ
３１  ワイヤレスリモコンの赤外線送受信部
３３  第３ＥＥＰＲＯＭ